(57)【要約】【課題】  不使用時に収納でき、汎用性の高い車両用携帯電話保持装置の提供。【解決手段】  （１）車両に設けられる凹所に出し入れ可能とされたリテーナ２０と、携帯電話の少なくとも一部を収容可能でありリテーナ２０に回動可能に支持されたホルダ３０と、を有する車両用携帯電話保持装置１０。（２）ホルダ３０は開口３１を備えたボックス形状とされている。（３）ホルダ３０は、リテーナ２０に対して、開口３１が車室内に向う出し入れ位置と前記開口が前記凹所内に向う収納位置に回動可能とされている。（４）ホルダ３０を収納位置から出し入れ位置側に回動付勢する付勢部材４０と、ホルダ３０をリテーナ２０に対して収納位置でロックしロック解除してホルダ３０が収納位置から出し入れ位置へ回動することを許容するロック・ロック解除装置５０と、を有する。【選択図】        図１
2005212535.tif 000002
【特許請求の範囲】
【請求項１】
車両に設けられる凹所に出し入れ可能とされたリテーナと、
携帯電話の少なくとも一部を収容可能であり、前記リテーナに回動可能に支持されたホルダと、
を有する車両用携帯電話保持装置。
【請求項２】
前記ホルダは開口を備えたボックス形状とされている請求項１記載の車両用携帯電話保持装置。
【請求項３】
前記ホルダは、前記リテーナに対して、前記開口が車室内に向う出し入れ位置と前記開口が前記凹所内に向う収納位置に回動可能とされている、請求項２記載の車両用携帯電話保持装置。
【請求項４】
前記ホルダを前記収納位置から前記出し入れ位置側に回動付勢する付勢部材と、
前記ホルダを前記リテーナに対して前記収納位置でロックし、ロック解除して前記ホルダが前記収納位置から前記出し入れ位置へ回動することを許容するロック・ロック解除装置と、
をさらに有する、請求項３記載の車両用携帯電話保持装置。
【請求項５】
前記ロック・ロック解除装置は、引っ掛かり部と、前記ホルダが前記収納位置にあるときに前記引っ掛かり部が引っ掛かる引っ掛かり受け部と、前記引っ掛かり部と前記引っ掛かり受け部との引っ掛かりを外すロック解除ボタンとを、備えている、請求項４記載の車両用携帯電話保持装置。
【請求項６】
前記ロック・ロック解除装置はハート形状のカムと該カムに係脱可能なピンを備えている請求項４記載の車両用携帯電話保持装置。
【発明の詳細な説明】
【技術分野】
【０００１】
本発明は、車両用携帯電話保持装置に関する。
【背景技術】
【０００２】
従来の車両用携帯電話保持装置の代表的なものとして、以下の（ａ）〜（ｄ）がある。
（ａ）  コンソールボックスの上面、アームレスト上面などにベルトを用いて取付けられた装置（特許文献１、２）。
（ｂ）  エアコンの吹出口に取付けられた装置（特許文献３）。
（ｃ）  飲料容器ホルダに携帯電話保持の機能をもたせるために、携帯電話ホルダが取付けられた装置（特許文献４、５）。
（ｄ）  車両の内装部材に固定されたリテーナに対して、引出し式とされたホルダを備えた装置（特許文献６）。
【０００３】
しかし、上記（ａ）〜（ｄ）の装置には、つぎの問題点がある。
（ａ）  保持装置を使用していないときにも車室内に入り込んでいるため（不使用時に収納できないため）、運転中ひじなどが当って運転の邪魔になるおそれがあり、また、見栄えが悪い。
（ｂ）、（ｃ）  保持装置を使用していないときにも車室内に入り込んでいるため（不使用時に収納できないため）、見栄えが悪い。
（ｄ）  リテーナが内装部材に固定されているため、車種毎に専用の設計になる。
【特許文献１】特開平０７−１０７１４９号公報
【特許文献２】特開平０７−２８３８５５号公報
【特許文献３】特開平１０−１８１４１５号公報
【特許文献４】特開平１０−０１６６２４号公報
【特許文献５】特開平１０−１３８８１６号公報
【特許文献６】特開２００１−０４５１２９号公報
【発明の開示】
【発明が解決しようとする課題】
【０００４】
本発明が解決しようとする第１の問題点は、不使用時に収納できないことである。
本発明が解決しようとする第２の問題点は、汎用性が低いことである。
本発明の第１の目的は、不使用時に収納できる車両用携帯電話保持装置を提供することにある。
本発明の第２の目的は、汎用性の高い車両用携帯電話保持装置を提供することにある。
【課題を解決するための手段】
【０００５】
上記目的を達成する本発明はつぎの通りである。
（１）  車両に設けられる凹所に出し入れ可能とされたリテーナと、
携帯電話の少なくとも一部を収容可能であり、前記リテーナに回動可能に支持されたホルダと、
を有する車両用携帯電話保持装置。
（２）  前記ホルダは開口を備えたボックス形状とされている（１）記載の車両用携帯電話保持装置。
（３）  前記ホルダは、前記リテーナに対して、前記開口が車室内に向う出し入れ位置と前記開口が前記凹所内に向う収納位置に回動可能とされている、（２）記載の車両用携帯電話保持装置。
（４）  前記ホルダを前記収納位置から前記出し入れ位置側に回動付勢する付勢部材と、
前記ホルダを前記リテーナに対して前記収納位置でロックし、ロック解除して前記ホルダが前記収納位置から前記出し入れ位置へ回動することを許容するロック・ロック解除装置と、
をさらに有する、（３）記載の車両用携帯電話保持装置。
（５）  前記ロック・ロック解除装置は、引っ掛かり部と、前記ホルダが前記収納位置にあるときに前記引っ掛かり部が引っ掛かる引っ掛かり受け部と、前記引っ掛かり部と前記引っ掛かり受け部との引っ掛かりを外すロック解除ボタンとを、備えている、（４）記載の車両用携帯電話保持装置。
（６）  前記ロック・ロック解除装置はハート形状のカムと該カムに係脱可能なピンを備えている（４）記載の車両用携帯電話保持装置。
【発明の効果】
【０００６】
上記（１）〜（６）の車両用携帯電話保持装置によれば、車両に設けられる凹所（たとえば車両用小物入れ等）に出し入れ可能とされたリテーナを有するので、不使用時に車両用携帯電話保持装置を凹所内に入れておくことができる。そのため、不使用時に車両用携帯電話保持装置にひじなどが当ったりすることはなく、また、見栄えもよい。
また、車両に設けられる凹所に出し入れ可能とされたリテーナを有するので、凹所がある車種に車両用携帯電話保持装置を設けることができる。したがって、車種ごとに専用の設計をする必要がなく、従来（ｄ）に比べて汎用性が高い。
上記（２）の車両用携帯電話保持装置では、携帯電話を容易にホルダに着脱できる。
上記（３）の車両用携帯電話保持装置では、ホルダがリテーナに対して出し入れ位置と収納位置に回動可能とされているので、出し入れ位置にあるホルダに携帯電話が保持されているときに携帯電話が車室内に突出していても、ホルダをリテーナに対して収納位置に回動させることで携帯電話の全体を凹所内に入れることができる。その結果、車両用携帯電話保持装置で携帯電話を保持しているときに、携帯電話にひじなどが当ったりすることはなく、また、見栄えもよい。
上記（４）の車両用携帯電話保持装置では、ロック解除すると、付勢部材の付勢力によりホルダを収納位置から出し入れ位置までリテーナに対して回動させることができる。
上記（５）の車両用携帯電話保持装置では、ロック解除ボタンを操作することで、ロック解除することができる。
上記（６）の車両用携帯電話保持装置では、ハートカムを用いてロック・ロック解除できる。
【発明を実施するための最良の形態】
【０００７】
図１〜図８は、本発明実施例１の車両用携帯電話保持装置を示しており、図９〜図１１は、本発明実施例２の車両用携帯電話保持装置を示している。
本発明実施例１と本発明実施例２にわたって共通する部分には、本発明実施例１と本発明実施例２にわたって共通する符号を付してある。
まず、本発明実施例１と本発明実施例２にわたって共通する部分を、たとえば、図１、図２、図４〜図８、図１０を参照して、説明する。
本発明実施例の車両用携帯電話保持装置（以下、保持装置という）１０は、図１に示すように、リテーナ２０と、携帯電話の少なくとも一部を収容可能でありリテーナ２０に回動可能に支持されたホルダ３０を、有する。保持装置１０は、さらに、付勢部材４０と、ロック・ロック解除装置５０を、有する。
【０００８】
リテーナ２０は、図４に示すように、車両に設けられる凹所１に出し入れ可能とされている。ここで、凹所１は、たとえば、車両の内装部材であるインスツルメントパネル、コンソールパネル等を凹まして設けられた部分であってもよく、車両の内装部材に取付けられる車両用小物入れ等の収容部であってもよい（図示例では、凹所１が車両用小物入れの収容部である場合を示している）。
リテーナ２０は、凹所１の壁面に着脱可能に取付けられる。リテーナ２０は、（ａ）リテーナ２０に爪２０ａを設け、凹所１の壁面に爪受け１ａを設け、爪受け１ａに爪２０ａを係合させることにより、凹所１の壁面に着脱可能に取付けられていてもよく、（ｂ）面ファスナーを用いて凹所１の壁面に着脱可能に取付けられていてもよく、（ｃ）両面テープ等を用いて凹所１の壁面に着脱可能に取付けられていてもよい。なお、図４では、リテーナ２０が、爪受け１ａに爪２０ａを係合させることにより、凹所１の壁面に着脱可能に取り付けられる場合を示している。
リテーナ２０が凹所１内に入れられ壁面に取付けられているとき、保持装置１０の全体が凹所１内に入り込んでいる。
【０００９】
リテーナ２０は、図１に示すように、第１のリテーナ２１と第２のリテーナ２２とを、有する。
第１のリテーナ２１は、底壁２３と、隣接する二側壁２４ａ、２４ｂからなる側壁２４と、側壁２４の上端にリテーナ２０の上方への開口面積を小にする方向に突出する上壁２５とを、有する。
第２のリテーナ２２は、平板形状である。第２のリテーナ２２は、スクリュ６０で第１のリテーナ２１に固定して取付けられる。第２のリテーナ２２は、第１のリテーナ２１の側壁２４ａに対向している。
第２のリテーナ２２が第１のリテーナ２１に取付けられることにより、リテーナ２０は、上方と、側方の一側とに、開放している。
【００１０】
ホルダ３０は、開口３１を備えたボックス形状である。ホルダ３０は、携帯電話の少なくとも一部を収容可能である。
ホルダ３０は、第１のリテーナ２１の側壁２４ａ側に突出する第１の筒状部３２と、第２のリテーナ２２側に突出する第２の筒状部３３を有する。第１の筒状部３２の軸芯と第２の筒状部３３の軸芯とは一致する。ホルダ３０は、スクリュ６１を第１のリテーナ２１の側壁２４ａに設けられた穴２４ｃを通して第１の筒状部３２に挿入し、第２のリテーナ２２に設けられた穴２２ａに第２の筒状部３３を回動可能に嵌め込むことにより、リテーナ２０に回動可能に支持される。ホルダ３０は、図４に示すように、リテーナ２０に対して、開口３１が上方（車室内）に向う出し入れ位置３０ａと、出し入れ位置３０ａから９０°またはほぼ９０°回転し開口３１が凹所１の内側面と対向する（凹所１内に向う）収納位置３０ｂに、回動可能とされている。ホルダ３０が出し入れ位置３０ａにあるとき、ホルダ３０またはホルダ３０から突出する図示略の位置出し突起が、第１のリテーナ２１の底壁２３の上面に当る。
【００１１】
付勢部材４０は、ホルダ３０を、リテーナ２０に対して収納位置３０ｂから出し入れ位置３０ａ側に回動付勢する。ホルダ３０が付勢部材４０の付勢力によって回動させられる回動スピードは、図２に示すように、第１のリテーナ２１に取付けられるダンパ６２のギヤがホルダ３０に設けられるギヤ３４と噛合うことにより、緩められている。
付勢部材４０は、たとえば、トーションスプリングからなる。付勢部材４０の一端は、第１のリテーナ２１に設けられるリテーナ側バネ受け部２４ｄに引っ掛けられ、付勢部材４０の他端は、ホルダ３０に設けられるホルダ側バネ受け部３５に引っ掛けられる。
【００１２】
ロック・ロック解除装置５０は、ホルダ３０をリテーナ２０に対してロック・ロック解除する。ロック・ロック解除装置５０がロックしているとき、ホルダ３０は、付勢部材４０の付勢力に抗して収納位置３０ｂに維持される。ロックを解除したとき、ホルダ３０は、付勢部材４０の付勢力により出し入れ位置３０ａまでリテーナ２０に対して回動する。ロック・ロック解除部材５０は、（ａ）引っ掛かり部５１と、ホルダ３０が収納位置３０ｂにあるときに引っ掛かり部５１が引っ掛かる引っ掛かり受け部５２と、引っ掛かり部５１と引っ掛かり受け部５２との引っ掛かりを外すロック解除ボタン５３とを、備えていてもよく、（ｂ）図１０に示すように、ハート形状のカム５４と、カム５４に係脱可能なピン５５を備えていてもよい。
【００１３】
本発明実施例１と本発明実施例２に共通する作用、効果を説明する。
リテーナ２０が凹所１内に入れられ凹所１の壁面に取付けられているとき、保持装置１０の全体が凹所１内に入り込んでいるので、保持装置１０を使用していないとき、保持装置１０を凹所１内に入れておくことができる。そのため、不使用時に保持装置１０にひじなどが当ったりすることはなく、また、見栄えもよい。
また、図５に示すように、リテーナ２０は凹所１内に入れられ凹所１の壁面に着脱可能に取付けられるので、凹所１があれば保持装置１０を取付けることができる。したがって、車種ごとの専用設計は不要であり、従来（ｄ）に比べて汎用性が高い。
さらにまた、車両に凹所１が複数存在する場合には、複数の場所に保持装置１０を取付けることができる。
【００１４】
ホルダ３０がリテーナ２０に対して出し入れ位置３０ａと収納位置３０ｂに回動可能とされているので、図６に示すように、出し入れ位置３０ａにあるホルダ３０に携帯電話が保持されているときに携帯電話が車室内に突出していても、図７に示すように、ホルダ３０をリテーナ２０に対して収納位置３０ｂに回動させることで携帯電話の全体を凹所１内に入れることができる。その結果、保持装置１０で携帯電話を保持しているときに、携帯電話にひじなどが当ったりすることはなく、また、見栄えもよい。
また、携帯電話の全体を凹所１内に入れることができるので、図８に示すように、凹所１に蓋１ｂが設けられている場合には、蓋１ｂを閉めることで保持装置１０および携帯電話が入れられた凹所１を隠すことができ、見栄えがよい。
【００１５】
つぎに、本発明各実施例に特有な部分を説明する。
［実施例１］（図１〜図８）
本発明実施例１では、ロック・ロック解除部材５０が、図１に示すように、（ａ）引っ掛かり部５１と、ホルダ３０が収納位置３０ｂにあるときに引っ掛かり部５１が引っ掛かる引っ掛かり受け部５２と、引っ掛かり部５１と引っ掛かり受け部５２との引っ掛かりを外すロック解除ボタン５３とを、備えている場合を示している。
【００１６】
引っ掛かり部５１は、第１のリテーナ２１にスクリュ６３により回動可能に取付けられている。図３に示すように、引っ掛かり部５１が引っ掛かり受け部５２に引っ掛かっているとき、ホルダ３０はリテーナ２０に対して収納位置３０ｂにロックされる。
引っ掛かり受け部５２は、ホルダ３０に固定されている。引っ掛かり受け部５２は、ホルダ３０と一体に形成されていてもよい。
ロック解除ボタン５３は、引っ掛かり部５１と一体に形成されている。ロック解除ボタン５３は、上下方向に所定量延びている。ロック解除ボタン５３の上端部は、第１のリテーナ２１の上壁２５に設けられる貫通穴２５ａを挿通している。ロック解除ボタン５３の上端は、第１のリテーナ２１の上壁２５よりも上方に位置する。
ロック解除ボタン５３は、ロック解除ボタン５３が上方に突出する方向に、スプリング５３ａにより付勢されている。スプリング５３ａの上端は、ロック解除ボタン５３の下面に当てられており、スプリング５３ａの下端は、第１のリテーナ２１に設けられるスプリング座２１ａに当てられている。
本発明実施例１では、ロック解除ボタン５３を操作することで、ロック解除することができる。
【００１７】
［実施例２］（図９〜図１１）
本発明実施例２では、ロック・ロック解除部材５０が、（ｂ）ハート形状のカム５４と、カム５４に係脱可能なピン５５を備えている場合を示している。
カム５４とピン５５の一方は、第１のリテーナ２１に取付けられ、カム５４とピン５５の他方は、ホルダ３０に取付けられる。なお、図示例では、カム５４が第１のリテーナ２１に取付けられており、ピン５５がホルダ３０に取付けられている場合を示している。以下、本発明実施例２では、カム５４が第１のリテーナ２１に取付けられており、ピン５５がホルダ３０に取付けられる場合を例にとって説明する。
ロック解除部材５０は、カム５４から延びるガイド溝５４ａをさらに備えている。カム５４は、第１のリテーナ２１に揺動可能に支持されている。
ピン５５は、ホルダ３０に固定されている。ピン５５は、カム５４に係脱可能とされている。ピン５５がカム５４から外れると、ピン５５はガイド溝５４ａ内に入り込む。ピン５５は、カム５４から外れているとき、ガイド溝５４ａ内に常時存在している。
本発明実施例２では、図１１に示すように、収納位置３０ｂにあるホルダ３０をさらに押し込むことにより、ピン５５とカム５４との係合を解除できる（ロック解除できる）。
【図面の簡単な説明】
【００１８】
【図１】本発明実施例１の車両用携帯電話保持装置の分解斜視図である。
【図２】本発明実施例１の車両用携帯電話保持装置の透視側面図である。
【図３】本発明実施例１の車両用携帯電話保持装置の要部断面図である。
【図４】本発明実施例１の車両用携帯電話保持装置の、ホルダが出し入れ位置にあるとき（実線）と収納位置にあるとき（二点鎖線）の、断面図である。
【図５】本発明実施例１の車両用携帯電話保持装置の、ホルダを凹所に入れるときの斜視図である。
【図６】本発明実施例１の車両用携帯電話保持装置の、携帯電話を凹所に入れたホルダにセットしたときの斜視図である。
【図７】本発明実施例１の車両用携帯電話保持装置の、図６の状態からホルダを収納位置まで回転させたときの斜視図である。
【図８】図７の状態から凹所の蓋を閉めたときの斜視図である。
【図９】本発明実施例２の車両用携帯電話保持装置の分解斜視図である。
【図１０】本発明実施例２の車両用携帯電話保持装置の要部断面図である。
【図１１】本発明実施例２の車両用携帯電話保持装置の、ホルダのリテーナに対する回動範囲を示す断面図である。
【符号の説明】
【００１９】
１  凹所
１ａ  爪受け
１０  車両用携帯電話保持装置
２０  リテーナ
２０ａ  爪
２１  第１のリテーナ
２２  第２のリテーナ
３０  ホルダ
３０ａ  出し入れ位置
３０ｂ  収納位置
３１  ホルダの開口
４０  付勢部材
５０  ロック・ロック解除装置
５１  引っ掛かり部
５２  引っ掛かり受け部
５３  ロック解除ボタン
５４  カム
５５  ピン
【図１】
2005212535.tif 000003
【図２】
2005212535.tif 000004
【図３】
2005212535.tif 000005
【図４】
2005212535.tif 000006
【図５】
2005212535.tif 000007
【図６】
2005212535.tif 000008
【図７】
2005212535.tif 000009
【図８】
2005212535.tif 000010
【図９】
2005212535.tif 000011
【図１０】
2005212535.tif 000012
【図１１】
2005212535.tif 000013